(57)【要約】【課題】本発明の目的は、走行等のパフォーマンスを向上させることができるハイカットタイプの走行に適した靴を提供することである。【解決手段】靴において、内側部１３および外側部１４における締付具３が係合する側縁部１５が剛性部材で形成され、足部１１の後端部において踵を覆う踵部１６が剛性部材で形成され、側縁部１５と踵部１６との間に剛性部材よりも柔軟な素材で形成された柔軟部１７が設けられていると共に、柔軟部１７の少なくとも一部に、側縁部１５の上端部１５Ｅと、踵部１６の後端部１６Ｅとの間の伸びを抑制する伸び抑制部１８が配置されている。【選択図】図１
2020092889.tif 000002
【特許請求の範囲】
【請求項１】
ソールとアッパーとを備え走行に適した靴であって、
前記アッパー１は脚が延び出る開口１０を足関節よりも上方に有し、
前記アッパー１は足を覆う足部１１と、足関節および脚を覆う脚部１２とが連なり、
前記アッパー１は内側部１３と外側部１４とが締付具３により足および脚に沿うよう互いに引き寄せられ、
前記内側部１３および外側部１４における前記締付具３が係合する側縁部１５が剛性部材で形成され、
前記足部１１の後端部において踵を覆う踵部１６が剛性部材で形成され、
前記側縁部１５と前記踵部１６との間に前記剛性部材よりも柔軟な素材で形成された柔軟部１７が設けられていると共に、
前記柔軟部１７の少なくとも一部に、前記側縁部１５の上端部１５Ｅと、前記踵部１６の後端部１６Ｅとの間の伸びを抑制する伸び抑制部１８が配置されている、靴。
【請求項２】
請求項１において、前記伸び抑制部１８は柔軟部１７の素材よりも弾性率の大きい素材で形成されている、靴。
【請求項３】
請求項２において、前記伸び抑制部１８は非伸性の素材で形成されている、靴。
【請求項４】
請求項２において、
前記伸び抑制部１８は前記側縁部１５の上端部１５Ｅから前記踵部１６の後端部１６Ｅまで斜め下方に向かって帯状に延びて配置された第１部１８Ａを包含する、靴。
【請求項５】
請求項４において、
前記伸び抑制部１８は前記側縁部１５の上端部１５Ｅと前記伸び抑制部１８の前端部１５Ｆとの間の中間部１５Ｍから前記踵部１６の後端部１６Ｅよりも前方の中間部１６Ｍまで斜め下方の後方に向かって延びて配置された第２部１８Ｂを更に包含する、靴。
【請求項６】
請求項２〜５において、内外の前記各側縁部１５が非伸縮材で形成されている、靴。
【請求項７】
請求項６において、前記各側縁部１５の少なくとも一部には袋状の収容部１５Ｂが形成され、前記収容部１５Ｂは少なくとも前記側縁部１５の上端部１５Ｅから踝よりも前方の中間部１５Ｍまで斜め下方の前方に向かって延び、
前記収容部１５Ｂの上端部１５Ｅから前記中間部１５Ｍまでにわたって第１剛性パーツ２１が収容されている、靴。
【請求項８】
請求項７において、前記第１剛性パーツ２１の少なくとも一部を前記締付具３が覆うように、前記第１剛性パーツ２１および締付具３が配置されている、靴。
【請求項９】
請求項８において、前記袋状の収容部１５Ｂは前記中間部１５Ｍから更に前記踵部１６よりも前方まで斜め前方の下方に向かって前記ソール４まで延びる延長部１５Ｘを有し、
前記第１剛性パーツ２１は前記上端部１５Ｅから延長部１５Ｘまで延びている、靴。
【請求項１０】
請求項７〜９において、前記内外の側縁部１５の間には脚前面から足甲に沿う第２剛性パーツ２２が設けられ、
前記第２剛性パーツ２２の弾性率が前記第１剛性パーツ２１の弾性率よりも小さい、靴。
【請求項１１】
ソールとアッパーとを備え走行に適した靴であって、
前記アッパー１は脚が延び出る開口１０を足関節よりも上方に有し、
前記アッパー１は足を覆う足部１１と、足関節および脚を覆う脚部１２とが連なり、
前記アッパー１は内側部１３と外側部１４とが締付具３により足および脚に沿うよう互いに引き寄せられ、
前記内側部１３および外側部１４における前記締付具３が係合する側縁部１５が剛性部材で形成され、
前記足部１１の後端部において踵を覆う踵部１６が剛性部材で形成され、
前記側縁部１５は上縁部１５Ｅから踝よりも前方の中間部１５Ｍまで斜め下方の前方に向かって延び、
前記側縁部１５の上端部１５Ｅから前記中間部１５Ｍにわたって第１剛性パーツ２１が配置されている、靴。
【請求項１２】
請求項１１において、前記各側縁部１５の少なくとも一部には袋状の収容部１５Ｂが形成され、前記収容部１５Ｂは少なくとも前記側縁部１５の上端部１５Ｅから踝よりも前方の中間部１５Ｍまで斜め下方の前方に向かって延び、
前記収容部１５Ｂの上端部１５Ｅから前記中間部１５Ｍまでにわたって第１剛性パーツ２１が収容されている、靴。
【請求項１３】
請求項１２において、前記第１剛性パーツ２１の少なくとも一部を前記締付具３が覆うように、前記第１剛性パーツ２１および締付具３が配置されている、靴。
【請求項１４】
請求項１３において、前記袋状の収容部１５Ｂは前記中間部１５Ｍから更に前記踵部１６よりも前方まで斜め前方の下方に向かって前記ソール４まで延びる延長部１５Ｘを有し、
前記第１剛性パーツ２１は前記上端部１５Ｅから延長部１５Ｘまで延びている、靴。
【請求項１５】
請求項１１〜１４において、前記内外の側縁部１５の間には脚前面から足甲に沿う第２剛性パーツ２２が設けられている、靴。
【請求項１６】
請求項１５において、前記第２剛性パーツ２２の弾性率が前記第１剛性パーツ２１の弾性率よりも小さい、靴。
【発明の詳細な説明】
【技術分野】
【０００１】
本発明は走行に適した靴に関する。
【背景技術】
【０００２】
高速走行に適した靴は、内外の踝が露出したローカットシューズが一般的である（特許文献１）。
【先行技術文献】
【特許文献】
【０００３】
【特許文献１】特開平８−３１７８０１
【発明の概要】
【０００４】
ローカットシューズは軽量で、かつ、足関節の自由な底背屈を許容する。こうした観点からは、一般的に高速走行に適していると考えられる。
【０００５】
しかし、走行時にスネと甲が接近しすぎる過度な背屈は、走行中の接地時間を長くすると共に、走行中の体重心の過度な上下動を招き易い。そのため、走行のパフォーマンスを低下させる要因となるだろう。
【０００６】
一方、内外の踝を包むハイカットシューズは、ローカットシューズに比べ足関節の自由な底背屈を抑制するだろう。そのため、前記走行中の体重心の過度な上下動を抑制するかもしれない。
【０００７】
しかし、かかるハイカットシューズは、アキレス腱を包むため、スネに対し甲が遠ざかる底屈動作中の抵抗が大きい。そのため、爪先で路面を蹴り出す推進力が低下し易いだろう。
【０００８】
本発明の目的は、走行等のパフォーマンスを向上させることができるハイカットタイプの走行に適した靴を提供することである。
【０００９】
第１の局面において、本発明はソールとアッパーとを備え走行に適した靴であって、
前記アッパー１は脚が延び出る開口１０を足関節よりも上方に有し、
前記アッパー１は足を覆う足部１１と、足関節および脚を覆う脚部１２とが連なり、
前記アッパー１は内側部１３と外側部１４とが締付具３により足および脚に沿うよう互いに引き寄せられ、
前記内側部１３および外側部１４における前記締付具３が係合する側縁部１５が剛性部材で形成され、
前記足部１１の後端部において踵を覆う踵部１６が剛性部材で形成され、
前記側縁部１５と前記踵部１６との間に前記剛性部材よりも柔軟な素材で形成された柔軟部１７が設けられていると共に、
前記柔軟部１７の少なくとも一部に、前記側縁部１５の上端部１５Ｅと、前記踵部１６の後端部１６Ｅとの間の伸びを抑制する伸び抑制部１８が配置されている。
【００１０】
足の前足部および／または中足部が接地した瞬間において接地と同時に踵は下方に変位し易く、かかる変位は接地姿勢の乱れや、接地時間の増加する要因となる。
【００１１】
これに対し、足関節Ｊよりも上方の脚が接地直後に前方に倒れようとすると、前述のように、伸び抑制部１８が配置されていることで、踵部１６がアッパーの脚部１２に引き上げられて、踵部１６が下方に変位するのを抑制するだろう。そのため、接地姿勢の乱れや接地時間の増加を抑制する効果が期待できる。
【００１２】
一方、足の爪先が離地する際に、足に対し脚が後方に倒れるように足関節は底屈する。この際、脚が後方に爪先から遠ざかるようにして、足関節が底屈する。前記底屈時、アッパーの脚部１２は脚に押されて縮もうとするのであるが、前記側縁部１５と踵部１６との間には前記柔軟部１７が設けられており、そのため、前記柔軟部が縮み前記底屈動作を妨げにくいだろう。
【００１３】
このように、接地姿勢の乱れ抑制および接地時間の増加抑制と底屈動作を妨げにくいため、本靴は走行や跳躍のパフォーマンスを向上させることが期待できる。
【００１４】
第２の局面において、本発明はソールとアッパーとを備え走行に適した靴であって、
前記アッパー１は脚が延び出る開口１０を足関節よりも上方に有し、
前記アッパー１は足を覆う足部１１と、足関節および脚を覆う脚部１２とが連なり、
前記アッパー１は内側部１３と外側部１４とが締付具３により足および脚に沿うよう互いに引き寄せられ、
前記内側部１３および外側部１４における前記締付具３が係合する側縁部１５が剛性部材で形成され、
前記足部１１の後端部において踵を覆う踵部１６が剛性部材で形成され、
前記側縁部１５は上縁部１５Ｅから踝よりも前方の中間部１５Ｍまで斜め下方の前方に向かって延び、
前記側縁部１５の上端部１５Ｅから前記中間部１５Ｍにわたって第１剛性パーツ２１が配置されている。
【００１５】
足の前足部および／または中足部が接地した後、足の爪先への荷重が大きくなる間に、爪先に対し脚前面が近づく背屈姿勢となる。この背屈姿勢においては走速度の増大と共に脚の前方への傾きが大きくなり易く、これを何ら抑制しないと、推進力の減少を招く。
【００１６】
これに対し、本第２局面では、側縁部１５が剛性部材で形成され、更に側縁部１５の上端部１５Ｅから中間部１５Ｍまでにわたって、第１剛性パーツ２１が配置されている。この第１剛性パーツ２１は前記脚の前方への倒れ、つまり背屈を抑制するだろう。そのため、走行の推進力が増大するであろう。また、跳躍力の増大が図られるであろう。
【図面の簡単な説明】
【００１７】
【図１】本発明の第１実施例を示す靴の内側面図である。
【図２】同外側面図である。
【図３】第１および第２剛性パーツの一例を示す斜視図である。
【図４】足の内側面図である。
【図５】ヒールライズ時を示す靴の内側面図である。
【図６】ヒールライズ時を示す靴の外側面図である。
【図７】第２実施例を示す靴の内側面図である。
【図８】第２実施例を示す靴の外側面図である。
【発明を実施するための形態】
【００１８】
前記第１局面において、好ましくは、前記伸び抑制部１８は柔軟部１７の素材よりも弾性率の大きい素材で形成されている。
【００１９】
この場合、弾性率（ヤング率）の大きい伸び抑制部１８は、前記伸び抑制の機能を発揮し易い。
【００２０】
好ましくは、前記伸び抑制部１８は非伸性の素材で形成されている。
【００２１】
伸び抑制部１８の素材の弾性率が十分に大きい場合、伸び抑制部１８は走行動作中に実質的に伸びない非伸性を呈する。
【００２２】
好ましくは、前記伸び抑制部１８は前記側縁部１５の上端部１５Ｅから前記踵部１６の後端部１６Ｅまで斜め下方に向かって帯状に延びて配置された第１部１８Ａを包含する。
【００２３】
この場合、帯状の第１部１８Ａは前記伸び抑制の機能を発揮し易いだろう。
【００２４】
好ましくは、前記伸び抑制部１８は前記側縁部１５の上端部１５Ｅと前記伸び抑制部１８の前端部１５Ｆとの間の中間部１５Ｍから前記踵部１６の後端部１６Ｅよりも前方の中間部１６Ｍまで斜め下方の後方に向かって延びて配置された第２部１８Ｂを更に包含する。
【００２５】
第２部１８Ｂは前記第１部１８Ａの伸び抑制の機能を補うと共に、柔軟部１７の柔軟性を阻害しにくい。
【００２６】
好ましくは、内外の前記各側縁部１５が非伸縮材で形成されている。
【００２７】
非伸縮材で形成された側縁部１５は、前記背屈抑制に役立つ。
【００２８】
好ましくは、前記各側縁部１５の少なくとも一部には袋状の収容部１５Ｂが形成され、前記収容部１５Ｂは少なくとも前記側縁部１５の上端部１５Ｅから踝よりも前方の中間部１５Ｍまで斜め下方の前方に向かって延び、
前記収容部１５Ｂの上端部１５Ｅから前記中間部１５Ｍまでにわたって第１剛性パーツ２１が収容されている。
【００２９】
この場合、前記第１剛性パーツ２１は前記背屈抑制の作用を呈するのであるが、第１剛性パーツ２１が側縁部１５に収納されていることで、背屈時に第１剛性パーツ２１が座屈変形しにくくなる。
【００３０】
好ましくは、前記第１剛性パーツ２１の少なくとも一部を前記締付具３が覆うように、前記第１剛性パーツ２１および締付具３が配置されている。
【００３１】
かかる締付具３は第１剛性パーツ２１が足の内外への変形を抑制し、そのため、前記座屈変形を呈しにくくなる。
【００３２】
好ましくは、前記袋状の収容部１５Ｂは前記中間部１５Ｍから更に前記踵部１６よりも前方まで斜め前方の下方に向かって前記ソール４まで延びる延長部１５Ｘを有し、
前記第１剛性パーツ２１は前記上端部１５Ｅから延長部１５Ｘまで延びている。
【００３３】
ソール４まで延びた延長部１５Ｘおよび第１剛性パーツ２１は、前記背屈時に脚が前方に倒れにくいように支える。そのため、前記背屈抑制の機能が高まる。
【００３４】
好ましくは、前記内外の側縁部１５の間には脚前面から足甲に沿う第２剛性パーツ２２が設けられ、更に好ましくは、
前記第２剛性パーツ２２の弾性率が前記第１剛性パーツ２１の弾性率よりも小さい。
【００３５】
第２剛性パーツ２２は前記第１剛性パーツ２１と共に背屈抑制に役立つだけでなく、靴の脚前面の剛性を高め、第２剛性パーツ２２の座屈抑制に役立つであろう。
また、第２剛性パーツ２２の剛性が高いと第２剛性パーツ２２の屈曲に伴い第２剛性パーツ２２の損傷を招くことがあるが、第２剛性パーツ２２の剛性が比較的小さい場合、第２剛性パーツ２２に伸びが生じ、前記損傷を抑制し得る。
【００３６】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【００３７】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例】
【００３８】
以下、本発明の実施例を図面にしたがって説明する。図１〜図６は実施例１に関する。
【００３９】
図１および図２に示すように、靴はソール４、アッパー１およびシューレース（締付具）３に加え、第１および第２剛性パーツ２１，２２を備える。
【００４０】
前記ソール４は、例えば前足部４Ｆにスパイク４１を有する硬質樹脂製のスパイクソールであってもよいが、アウトソールとミッドソールを有するランニングシューズのソールであってもよい。
【００４１】
前記アッパー１は脚Ｌが延び出る開口１０を図４の足関節Ｊよりも上方に有するハイカットタイプである。したがって、図１のアッパー１は足Ｆ（図４）を覆う足部１１と、足関節Ｊおよび脚Ｌを覆う脚部１２とが連なっている。
【００４２】
アッパー１は図１の内側部１３と図２の外側部１４とを備える。前記外側部１４と図１の内側部１３とはシューレース３により足および脚に沿うように互いに引き寄せられるように締め付けられる。本例の場合、外側部１４と内側部１３とは、互いに同様の構造で、同様の剛性を有する。
【００４３】
本例において、シューレース３はワイヤ状で、図５および図６のラチェット式の操作部３０を備えていてもよい。なお、締付具は通常の紐状であってもよいし、ベルトであってもよい。
【００４４】
前記アッパー１は図５の前記内側部１３および図６の外側部１４において前記締付具３が係合する側縁部１５と、前記足部１１の後端部において踵を覆う踵部１６とを備える。前記側縁部１５および踵部１６は剛性部材で形成されている。この剛性部材は非伸縮材が採用されてもよい。
【００４５】
図５の前記各側縁部１５の上半部には袋状の収容部１５Ｂが形成されている。本例の場合、前記収容部１５Ｂは前記側縁部１５の上端部１５Ｅから踝Ｎ（図４）よりも前方の中間部１５Ｍまで斜め下方の前方に向かって延びている。
【００４６】
前記袋状の収容部１５Ｂは前記中間部１５Ｍから更に前記踵部１６よりも前方まで斜め前方の下方に向かって前記ソール４まで延びる延長部１５Ｘを有する。前記延長部１５Ｘもまた前記剛性部材で形成されている。図５Ｂにおいて、側縁部１５および収容部１５Ｂには大きなドット模様が付され、踵部１６には小さく粗いドット模様が付されている。
【００４７】
図１の前記収容部１５Ｂには大きいドット模様を付した第１剛性パーツ２１が収容されている。すなわち、本例において前記収容部１５Ｂは、少なくとも外装材と内装材とで細長い袋状に形成され、図３Ａのような細長い袋内に例えば帯状の第１剛性パーツ２１を収容している。
なお、第１剛性パーツ２１は収容部１５Ｂに収容されていなくてもよい。例えば、縫合や接着等で剛性パーツ２１が側縁部に固定されていてもよい。
【００４８】
図３Ａにおいて、第１剛性パーツ２１は若干屈曲していてもよいが、一直線状であってもよく、また、スリットが設けられていてもよい。
【００４９】
図２および図１に示すように、前記第１剛性パーツ２１は内外において、前記収容部１５Ｂの上端部１５Ｅから前記延長部１５Ｘまで斜め前方の下方に向かって延びるように配置されている。
【００５０】
図１の前記上端部１５Ｅから中間部１５Ｍにおいて、前記第１剛性パーツ２１を前記シューレース３が覆うように、前記第１剛性パーツ２１およびシューレース３が配置されている。これにより、シューレース３は第１剛性パーツ２１を脚や足に沿った状態に拘束し、そのため、第１剛性パーツ２１が背屈方向にたわむのを抑制するだろう。
【００５１】
図６および図５に示すように、前記収容部１５Ｂと前記踵部１６との間には、前記剛性部材よりも柔軟な素材で形成された柔軟部１７が配置されている。この柔軟部１７の一部には前記側縁部１５の上端部１５Ｅと、前記踵部１６の後端部１６Ｅとの間の伸びを抑制する伸び抑制部１８が配置されている。
【００５２】
図５において、前記伸び抑制部１８には小さく、かつ、密なドット模様が付され、前記伸び抑制部１８以外の柔軟部１７には格子模様が付されている。
【００５３】
前記伸び抑制部１８は柔軟部１７の素材よりも弾性率の大きい素材で形成されている。例えば、前記伸び抑制部１８は非伸性の素材で形成されている。前記伸び抑制部１８は破線で示す第１部１８Ａおよび第２部１８Ｂを備える。
【００５４】
図５において、前記第１部１８Ａは前記側縁部１５の上端部１５Ｅから前記踵部１６の後端部１６Ｅまで斜め下方に向かって帯状に延びて配置されている。
【００５５】
一方、第２部１８Ｂは前記側縁部１５の上端部１５Ｅと前記伸び抑制部１８の前端部１５Ｆとの間の中間部１５Ｍから前記踵部１６の後端部１６Ｅよりも前方の中間部１６Ｍまで斜め下方の後方に向かって延びて配置されている。
なお、第１部１８Ａおよび第２部１８Ｂのうち、第１部１８Ａのみ又は第２部１８Ｂのみを備えていてもよい。
【００５６】
図２において大きいドット模様で示す前記第２剛性パーツ２２は、前記内外の側縁部１５の間において脚前面から足甲に沿うように設けられている。前記第２剛性パーツ２２の弾性率は前記第１剛性パーツ２１の弾性率よりも小さい。
前記第２剛性パーツ２２は舌片５内に形成された袋状の収容部（図示せず）に収容されていてもよい。なお、両剛性パーツ２１，２２の弾性率は同じであってもよい。
更に、前記第２剛性パーツ２２の弾性率が前記第１剛性パーツ２１の弾性率よりも大きくてもよい。
【００５７】
つぎに、各部位やパーツの素材について説明する。
【００５８】
図５において、前記各側縁部１５、収容部１５Ｂ、延長部１５Ｘおよび踵部１６の外装材を構成する剛性部材としては、例えば人工皮革であってもよい。人工皮革は高強度で伸びにくく、かつ、厚肉で縮みにくい（皺が寄りにくい）非伸縮材を構成する。なお、図５において、側縁部１５および収容部１５Ｂの剛性部材には大きなドットの模様が付され、踵部１６の剛性部材には小さく、かつ、粗いドット模様が付されている。
【００５９】
前記柔軟部１７は図５において、格子模様で示されており、前記剛性部材よりも柔軟で例えば薄いメッシュ材で形成される。かかるメッシュ材としては、フィット性の高いウェアなどに用いられる伸縮性のメッシュ材が用いられていてもよい。前記柔軟部１７のうち前記伸び抑制部１８以外の部位は、その一部または全部がアッパー内外を貫く貫通孔になっていてもよい。
【００６０】
図５の破線で示す前記非伸性の伸び抑制部１８としては、例えば、前記メッシュ材にテープ材が貼り付けられ、更に枠状の樹脂フィルムで覆われていてもよい。テープ材の両端は側縁部１５または踵部１６に連結されていてもよい。
【００６１】
前記非伸性の伸び抑制部１８の第１部１８Ａおよび第２部１８Ｂは前記非伸縮性の剛性部材よりも薄肉で曲げ剛性が小さく、縮み易い。そのため、爪先が脚から遠ざかる底屈動作時には、伸び抑制部１８を含む柔軟部１７は屈曲し易い。
【００６２】
図１において前記第１剛性パーツ２１は、大きなドットの模様が付されており、例えば、合成樹脂（プラストマー）の非発泡体で形成されている。なお、第１剛性パーツ２１は合成樹脂の発泡体や金属で形成されていてもよい。
【００６３】
図２において前記第２剛性パーツ２２は、大きなドットの模様が付されており、例えば、合成樹脂の発泡体で形成され、前記第１剛性パーツ２１よりも弾性率（ヤング率）が小さく、伸び易く、かつ、屈曲し易い。図３Ｂに示すように、前記第２剛性パーツ２２は足の内外の中央に切欠き２２Ｎ及び／又は貫通孔２２Ｈを有していてもよい。
【００６４】
前記第１剛性パーツ２１よりも弾性率の小さい第２剛性パーツ２２は、足の屈曲に伴い伸び易く、そのため、繰り返し変形しても損傷しにくい。
なお、第２剛性パーツ２２は樹脂の非発泡体などで形成されていてもよい。
【００６５】
図２の前記第２剛性パーツ２２は前記舌片５を形成する厚肉のメッシュ材に比べ剛性が大きく、図５の背屈時に背屈を抑制するだけでなく、図１の前記第１剛性パーツ２１が座屈変形するのを抑制するだろう。
【００６６】
つぎに、各部材やパーツの配置と機能について説明する。
【００６７】
図１の第１剛性パーツ２１および図５の側縁部１５は、共に、剛性が大きく、かつ、足関節Ｊ（図４）の前方において斜め前方の下方に向かってソール４まで延びる。また、図２の第２剛性パーツ２２は図４の脚Ｌから足Ｆの前面に沿って配置されている。
【００６８】
ここで、図１の接地初期の状態から図５の背屈状態に至る際には、前記側縁部１５、収容部１５Ｂ、第１剛性パーツ２１（図１）および第２剛性パーツ２２（図２）は過大な背屈を抑制するだろう。そのため、背屈時の足関節Ｊ（図４）の屈曲角度が過大になり難く、走行や跳躍のパフォーマンスが安定し易いだろう。
【００６９】
更に、踵部１６の後端部１６Ｅと側縁部１５の上端部１５Ｅとを連結する第１部１８Ａは伸び難く、そのため、図１の接地の瞬間に踵部１６の後端部１６Ｅが下方に変位するのを抑制できる。したがって、接地姿勢が安定し易く、接地時間の短縮や跳躍力の増大が期待できる。
【００７０】
図５に示すように、前記側縁部１５の収容部１５Ｂと延び抑制部１８の第１部１８Ａは、逆Ｖ字状に配置されている。また、前記側縁部１５の延長部１５Ｘと前記踵部１６とはＶ字状に配置されている。こうして、側縁部１５、踵部１６および抑制部１８の第１部１８Ａは三角形状の柔軟部１７を囲う。
【００７１】
前記三角形状の柔軟部１７は図４の足関節Ｊを覆うように配置されている。また、図５の前記延び抑制部１８の第１部１８Ａの斜め後方の上方にも、柔軟部１７が配置されている。
本例の場合、柔軟部１７は符号１７ａ，１７ｂ，１７ｃで示すように配置されている。中足部に配置された前記柔軟部１７ｃは剛性部材や他の部材に置き換えられていてもよい。また、各柔軟部１７ａ，１７ｂ，１７ｃを設けずに、踵部１６の上方のアッパー１の背面部のみに柔軟部が設けられていてもよい。
【００７２】
ここで、足が離地する際には、つまり、図５の背屈状態から底屈状態に変化する際には延び抑制部１８の第１部１８Ａの後方の柔軟部１７が脚Ｌの背部に押されて伸びる。更に、前記底屈状態に至ると前記延び抑制部１８を含む柔軟部１７は殆ど抵抗なく縮む。そのため、足の蹴り出し動作や跳躍動作においてロスが小さく、走行や跳躍のパフォーマンスの向上を期待することができる。
【００７３】
図７および図８は実施例２を示す。
本例については図１〜図６の実施例１と相違する部分について主に説明する。
【００７４】
図８に示すように、側縁部１５は脚部１２および足部１１に形成され、脚部１２から足部１１に連なるように、収容部１５Ｂが形成されている。前記収容部１５Ｂは脚部１２と足部１１との間において屈曲しており、この屈曲した収容部１５Ｂに図７の屈曲した第１剛性パーツ２１が配置されている。第１剛性パーツ２１は複数本の棒状の樹脂ロッドを互いに平行な状態に接合したものであってもよい。
【００７５】
以上のとおり、図面を参照しながら好適な実施例を説明したが、当業者であれば、本明細書を見て、自明な範囲で種々の変更および修正を容易に想定するであろう。
たとえば、各剛性パーツはＦＲＰや金属の他、硬質のゴムで形成されてもよい。
シューレースに代え、あるいは、シューレースに加えて、締付部材としてベルトが採用されてもよい。また、スパイクを有していなくてもよい。
したがって、そのような変更および修正は請求の範囲から定まる本発明の範囲内のものと解釈される。
【産業上の利用可能性】
【００７６】
本発明は各種の競技用の他ランニング用の靴にも適用できる。
【符号の説明】
【００７７】
１：アッパー  １１：足部  １２：脚部  １３：内側部  １４：外側部  
１５：側縁部  １５Ｂ：収容部  １５Ｅ：上端部  １５Ｆ：前端部  １５Ｍ：中間部  １５Ｘ：延長部
１６：踵部  １６Ｅ：後端部  １６Ｍ：中間部
１７、１７ａ〜１７ｃ：柔軟部  
１８：伸び抑制部  １８Ａ：第１部  １８Ｂ：第２部
２１：第１剛性パーツ  ２２：第２剛性パーツ  ２２ｈ：貫通孔  ２２Ｎ：切欠き
３：締付具  ３０：操作部
４：ソール  ４Ｆ：前足部  ４１：スパイク
５：舌片
Ｆ：足  Ｈ：踵  Ｌ：脚  Ｊ：足関節  Ｎ：踝
【図１】
2020092889.tif 000003
【図２】
2020092889.tif 000004
【図３】
2020092889.tif 000005
【図４】
2020092889.tif 000006
【図５】
2020092889.tif 000007
【図６】
2020092889.tif 000008
【図７】
2020092889.tif 000009
【図８】
2020092889.tif 000010